【手続補正書】
【提出日】平成23年4月6日(2011.4.6)
【手続補正１】
【補正対象書類名】特許請求の範囲
【補正対象項目名】全文
【補正方法】変更
【補正の内容】
【特許請求の範囲】
【請求項１】
低侵襲性の設置に好適な整形外科用装置であって、該整形外科用装置は、
近位端および遠位端を有する細長い芯であって、該芯は、該近位端と該遠位端との間の間隙を有して、中心開口部を囲む概して弓状の構成を含み、該整形外科用装置は、該弓状の構成が開閉し得る程度を制御するように構成された構造物をさらに含む、整形外科用装置。
【請求項２】
前記芯の少なくとも一部分を囲む弓状の層をさらに備える、請求項１に記載の整形外科用装置。
【請求項３】
前記芯は形状記憶材料を含む、請求項１または２に記載の整形外科用装置。
【請求項４】
前記概して弓状の構成は、実質的に平坦ではない、請求項１〜３のいずれかに記載の整形外科用装置。
【請求項５】
前記装置は、前記弓状の層から、前記芯の少なくとも一部を少なくとも部分的に取り除くことを可能にするようにさらに構成され、その結果、該弓状の層内に空隙が生じる、請求項２に記載の整形外科用装置。
【請求項６】
前記装置は、前記芯の少なくとも一部を取り除くことによって生じる前記空隙の少なくとも一部がポリマー材料で部分的に充填され得るようにさらに構成される、請求項５に記載の整形外科用装置。
【請求項７】
前記弓状の層は、ポリマー材料である、請求項２に記載の整形外科用装置。
【請求項８】
前記装置の表面上に減摩高耐磨耗材料の被覆をさらに備える、請求項１〜７のいずれかに記載の整形外科用装置。
【請求項９】
少なくとも１つの第２の芯をさらに備える、請求項１〜８のいずれかに記載の整形外科用装置。
【請求項１０】
前記弓状の構成が開閉可能な程度を制御するように構成された構造物は、ランヤード、縫合糸またはワイヤを備える、請求項１〜９のいずれかに記載の整形外科用装置。
【請求項１１】
前記整形外科用装置は、テザーホールをさらに備える、請求項１〜１０のいずれかに記載の整形外科用装置。
【請求項１２】
前記整形外科用装置は、手の関節に使用するように構成される、請求項１〜１１のいずれかに記載の整形外科用装置。
【請求項１３】
前記整形外科用装置は、指の関節に使用するように構成される、請求項１２に記載の整形外科用装置。
【請求項１４】
前記整形外科用装置は、手根骨と中手骨との間で使用するように構成される、請求項１２または１３に記載の整形外科用装置。
【請求項１５】
前記整形外科用装置は、足の関節に使用するように構成される、請求項１〜１１のいずれかに記載の整形外科用装置。
【請求項１６】
前記整形外科用装置は、つま先の関節に使用するように構成される、請求項１５に記載の整形外科用装置。
【請求項１７】
前記整形外科用装置は、指骨と中足骨との間で使用するように構成される、請求項１５または１６に記載の整形外科用装置。
【手続補正２】
【補正対象書類名】明細書
【補正対象項目名】００１１
【補正方法】変更
【補正の内容】
【００１１】
１つの好ましい実施形態では、弓状または直線状の非直線化構成で整形外科用装置を格納するためのカセットシステムを、整形外科用装置送達システムで使用することができる。種々の実施形態では、１つ以上の整形外科用装置は、インプラントを前進させる、または回収するためのバレル、溝、ノブ、および／または可撓性プランジャシステムにより、カセットを通して前進させることができる。
例えば、本発明は以下の項目を提供する。
（項目１）
患者の体内の送達部位の中への方向付けされた配向での整形外科用装置の低侵襲性の設置に好適な整形外科用装置送達システム（１０００、１８０１、１９０１、２００１、２２１０、２３１０、２８００、３１０１、３４０１、３５０１、３７０１、３８０１、３９０１、４００１、４１０１）であって、
自身を貫通して延在する管腔（１０３５、１２３５、２７８２、３１４２）を有する管状送達装置（１０３０、１１１０、１２３０、１８３０、２２４０、２３５０、２７８０、２９００、３１４０、３４４０、３５４０、３７４０、３８４０、３９４０、４０４０、４１４０）と、
該管状送達装置の該管腔と連通しているチャネル（２１１０、２５１０、３１２２、３４２２）を備える装填装置（２１００、２２２０、２３１０、２７２０、３１２０、３４２０、３５２０、３７２０、３８２０、３９２０、４１２０）であって、該チャネルは、第１の構成で少なくとも１つの整形外科用装置を格納するように構成され、該装填装置は、該第１の構成から第２の中間送達構成まで該少なくとも１つの整形外科用装置を移動させるように構成される、装填装置と
を備え、該整形外科用装置は、狭小化した構成で該管腔を通って移動可能であり、該少なくとも１つの整形外科用装置を確保する該装填装置は、設置されるときの該整形外科用装置の配置を向上させるために、実質的に体温において概して弓状の構成を備える第３の設置構成で、該管腔の遠位端から外に設置する、整形外科用装置送達システム。
（項目２）
上記第１の構成は、上記第３の設置構成と実質的に同じである、項目１に記載の整形外科用装置送達システム。
（項目３）
上記第２の中間送達構成は、狭小化した構成である、項目１に記載の整形外科用装置送達システム。
（項目４）
上記第２の中間送達構成は、実質的に直線化した構成である。項目１に記載の整形外科用装置送達システム。
（項目５）
近位端および遠位端を有する細長い芯を備える少なくとも１つの整形外科用装置（１００ａ、１００ｂ、１００ｃ、３００ａ、３００ｂ、３００ｃ、３００ｄ、３００ｅ、５７０ｄ、５７０ｅ、５７０ｆ、１１００、１２００、１６００、１７００、１８００、１９００、２０００、２１２０、２２００、２６００、２７００、２７００、３１００、４０００、４１００）をさらに備え、該細長い芯は、設置されるときの該整形外科用装置の配置を向上させるために、実質的に体温において概して弓状の構成を備えており、該細長い芯は、送達を可能にするために、実質的に直線化した構成へと操作可能である、項目１に記載の整形外科用装置送達システム。
（項目６）
上記装填装置は、該装填装置の上記チャネルから上記管状送達装置の上記管腔の中へ整形外科用装置を移動させるように構成されるノブ（２２３０、３１３０）を備える、項目１に記載の整形外科用装置送達システム。
（項目７）
整形外科用装置を上記管状送達装置の上記管腔から外へ、そして上記患者の中へ前進させるプランジャ（１０２０、１１２０、１２５０、１９５０、２０５０、２４１０、２７１０、３１１０、３４１０、３５１０、３７１０、３８１０、３９１０、４０１０、４０１１、４１１０）をさらに備える、項目１に記載の整形外科用装置送達システム。
（項目８）
第１の構成から第２の構成まで整形外科用装置を移動させることと、
該第１の構成から該第２の構成まで該整形外科用装置を移動させることの後に、該第２の構成から第３の構成まで該整形外科用装置を移動させることであって、該第３の構成は、整形外科関節内の原位置に設置されるような該整形外科用装置の構成に対応し、該第２の構成は、該第３の構成での該整形外科用装置の適正な設置のために、該整形外科用装置の配向を制御する、ことと
を含む、患者の整形外科関節の中へ整形外科用装置を低侵襲的に設置する方法。
（項目９）
上記第１の構成は、概して弓状である、項目８に記載の整形外科関節の中へ整形外科用装置を低侵襲的に設置する方法。
（項目１０）
上記第２の構成は、狭小化構成である、項目８に記載の整形外科関節の中へ整形外科用装置を低侵襲的に設置する方法。
（項目１１）
上記第２の構成は、実質的に直線化している、項目８に記載の整形外科関節の中へ整形外科用装置を低侵襲的に設置する方法。
（項目１２）
上記第３の構成は、概して弓状である、項目８に記載の整形外科関節の中へ整形外科用装置を低侵襲的に設置する方法。
（項目１３）
上記第３の構成は、上記第１の構成と実質的に同様である、項目８に記載の整形外科関節の中へ整形外科用装置を低侵襲的に設置する方法。
（項目１４）
上記整形外科用装置は、近位端および遠位端を有する細長い芯を備え、該芯は、設置されるときの該整形外科用装置の配置を向上させるために、実質的に体温において概して弓状の構成を備えており、該芯は、送達を可能にするために、実質的に直線化した構成に操作可能であり、関節層は、該芯の少なくとも一部分を包囲する、項目８に記載の整形外科関節の中へ整形外科用装置を低侵襲的に設置する方法。
（項目１５）
装填装置を備える整形外科用送達システムは、上記第１の構成で少なくとも１つの整形外科用装置を格納する、項目８に記載の整形外科関節の中へ整形外科用装置を低侵襲的に設置する方法。
（項目１６）
上記患者における埋込中に、上記関節層を上記芯の少なくとも一部分に取り付けることをさらに含む、項目８に記載の整形外科関節の中へ整形外科用装置を低侵襲的に設置する方法。
（項目１７）
上記患者における埋込後に、上記関節層を上記芯の少なくとも一部分に取り付けることをさらに含む、項目８に記載の整形外科関節の中へ整形外科用装置を低侵襲的に設置する方法。
（項目１８）
上記芯の少なくとも一部分を除去するために、上記設置の原位置またはその近位に装置を挿入することをさらに含む、項目８に記載の整形外科関節の中へ整形外科用装置を低侵襲的に設置する方法。
（項目１９）
管状送達装置を使用する低侵襲性の設置に好適な整形外科用装置であって、
生体適合性の外面と、
該外面の少なくとも一部の上に配置される被覆と、
近位端および遠位端を有する細長い芯であって、該芯は、設置されるときの該整形外科用装置の配置を向上させるために、実質的に体温において概して弓状の構成を備え、該芯は、送達を可能にするために、実質的に直線化した構成へと操作可能である、芯と
を備える、整形外科用装置。
（項目２０）
上記生体適合性の外面は、生物学的な外被を備える、項目１９に記載の整形外科用装置。
（項目２１）
上記生体適合性の外面は、埋込後に、第１の寸法から第２のより大きい寸法まで増大するように構成される材料を備える、項目１９に記載の整形外科用装置。
（項目２２）
上記被覆は、多孔性である、項目１９に記載の整形外科用装置。
（項目２３）
上記被覆は、媒質を溶出する、項目１９に記載の整形外科用装置。
（項目２４）
上記媒質は、薬剤である、項目２３に記載の整形外科用装置。
（項目２５）
上記生体適合性の外面は、上記細長い芯の外面を備える、項目１９に記載の整形外科用装置。
（項目２６）
上記芯の少なくとも一部分を包囲する関節層をさらに備え、上記生体適合性の外面は、該関節層の外面を備える、項目１９に記載の整形外科用装置。
（項目２７）
上記装置はさらに、上記関節層内に空隙をもたらす、該関節層からの上記芯の少なくとも一部の少なくとも部分的な除去を可能にするように構成される、項目２６に記載の整形外科用装置。
（項目２８）
上記装置は、上記芯の少なくとも一部の除去によって生成される上記空隙の少なくとも一部がポリマー材料によって部分的に充填されるように、さらに構成される、項目２７に記載の整形外科用装置。